【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
経路に沿ってユーザを案内するためのシステムであって、前記システムが、
モバイルデバイスであって、
１つ以上のプロセッサと、
前記モバイルデバイスの現在位置を検出して追跡するための１つ以上の位置センサと、
前記１つ以上のプロセッサによって実行可能なプログラム命令であって、
前記モバイルデバイスの目標位置を判定し、
前記現在位置から前記目標位置までの経路を判定し、
前記経路に対する前記モバイルデバイスの前記現在位置に基づいて、バイノーラルオーディオデバイスを介して再生される音の仮想指向性及び距離を制御する、
プログラム命令を含むメモリと、
を含む、モバイルデバイス、
を備える、システム。
【請求項２】
有線又は無線接続によって前記モバイルデバイスに接続されるバイノーラルオーディオデバイスを更に含み、
前記プログラム命令が、前記バイノーラルオーディオデバイスの動き及び向きを示すデータに少なくとも部分的に基づいて、前記バイノーラルオーディオデバイスを介して再生される前記音の前記仮想指向性を調整するように、前記１つ以上のプロセッサによって更に実行可能である、請求項１に記載のシステム。
【請求項３】
前記プログラム命令が、地図情報に少なくとも部分的に基づいて、前記現在位置から前記目標位置までの前記経路を判定するように、前記１つ以上のプロセッサによって更に実行可能である、請求項１に記載のシステム。
【請求項４】
前記システムが、前記バイノーラルオーディオデバイスを更に含み、前記バイノーラルオーディオデバイスが、左右のオーディオ出力構成要素を含み、前記バイノーラルオーディオデバイスを介して再生される前記音の前記仮想指向性及び距離が、前記有線又は無線接続を介して前記モバイルデバイスによって前記バイノーラルオーディオデバイスの前記左右のオーディオ出力構成要素に送信される、左右のオーディオチャネルの音量、周波数、又は残響のうちの１つ以上を調整することによって制御される、請求項１に記載のシステム。
【請求項５】
前記バイノーラルオーディオデバイスを介して再生される前記音が、音楽、電話会話、オーディオブック、ポッドキャスト、ラジオ放送、現実環境からサンプリングされた若しくは現実環境に対してシミュレートされた環境ノイズ、トーン及びホワイトノイズを含むシミュレートされた音、又は録音された音のうちの１つ以上を含む、請求項１に記載のシステム。
【請求項６】
前記経路に対する前記モバイルデバイスの前記現在位置に基づいて、前記バイノーラルオーディオデバイスを介して再生される音の仮想指向性及び距離を制御する際に、前記プログラム命令は、１つ以上の空間オーディオナビゲーション方法を適用するように、前記１つ以上のプロセッサによって実行可能であり、前記１つ以上の空間オーディオナビゲーション方法が、
前記音が前記経路に沿って連続的に移動される方法、
前記音が前記経路に沿って離散間隔で移動される方法、
前記音が前記経路に沿った方向に前記バイノーラルオーディオデバイスの前記現在位置から一定距離に配置される方法、
前記音が前記経路に沿って１つの方向から別の方向に移動される方法、
サンプリングされた又はシミュレートされた環境ノイズが、前記経路に沿った方向に再生され、かつ他の方向に遮断されて、音トンネリング効果を引き起こす方法、
サンプリングされた又はシミュレートされた環境ノイズが、前記経路に沿った方向に遮断され、かつ他の方向に再生されて、前記環境ノイズの間隙効果を引き起こす方法、
又は前記音が前記経路の方向とは反対の方向に再生される方法、
のうちの１つ以上を含む、
請求項１に記載のシステム。
【請求項７】
前記経路に対する前記モバイルデバイスの前記現在位置に基づいて、前記バイノーラルオーディオデバイスを介して再生される音の仮想指向性及び距離を制御する際に、前記プログラム命令は、前記音が前記経路に沿って連続的に移動される空間オーディオナビゲーション方法を適用するように、前記１つ以上のプロセッサによって実行可能である、請求項１に記載のシステム。
【請求項８】
前記経路に対する前記モバイルデバイスの前記現在位置に基づいて、前記バイノーラルオーディオデバイスを介して再生される音の仮想指向性及び距離を制御する際に、前記プログラム命令は、前記音が前記経路に沿って離散間隔で移動される空間オーディオナビゲーション方法を適用するように、前記１つ以上のプロセッサによって実行可能である、請求項１に記載のシステム。
【請求項９】
前記経路に対する前記モバイルデバイスの前記現在位置に基づいて、前記バイノーラルオーディオデバイスを介して再生される音の仮想指向性及び距離を制御する際に、前記プログラム命令は、前記音が前記経路に沿った方向であり前記バイノーラルオーディオデバイスの前記現在位置からの一定距離に配置される空間オーディオナビゲーション方法を適用するように、前記１つ以上のプロセッサによって実行可能である、請求項１に記載のシステム。
【請求項１０】
前記経路に対する前記モバイルデバイスの前記現在位置に基づいて、前記バイノーラルオーディオデバイスを介して再生される音の仮想指向性及び距離を制御する際に、前記プログラム命令は、前記音が前記経路上の前記バイノーラルオーディオデバイスの前記現在位置の背後の位置から、前記経路上の前記バイノーラルオーディオデバイスの前記現在位置の前方の位置へ移動する空間オーディオナビゲーション方法を適用するように、前記１つ以上のプロセッサによって実行可能である、請求項１に記載のシステム。
【請求項１１】
前記経路に対する前記モバイルデバイスの前記現在位置に基づいて、前記バイノーラルオーディオデバイスを介して再生される音の仮想指向性及び距離を制御する際に、前記プログラム命令は、サンプリングされた又はシミュレートされた環境ノイズが前記経路に沿った方向に再生され、かつ他の方向に遮断されて、音トンネリング効果を引き起こす空間オーディオナビゲーション方法を適用するように、前記１つ以上のプロセッサによって実行可能である、請求項１に記載のシステム。
【請求項１２】
前記経路に対する前記モバイルデバイスの前記現在位置に基づいて、前記バイノーラルオーディオデバイスを介して再生される音の仮想指向性及び距離を制御する際に、前記プログラム命令は、サンプリングされた又はシミュレートされた環境ノイズが前記経路に沿った方向に遮断され、かつ他の方向に再生されて、環境ノイズの間隙を引き起こす空間オーディオナビゲーション方法を適用するように、前記１つ以上のプロセッサによって実行可能である、請求項１に記載のシステム。
【請求項１３】
前記経路に対する前記モバイルデバイスの前記現在位置に基づいて、前記バイノーラルオーディオデバイスを介して再生される音の仮想指向性及び距離を制御する際に、前記プログラム命令は、前記音が前記経路の方向とは反対の方向に再生される空間オーディオナビゲーション方法を適用するように、前記１つ以上のプロセッサによって実行可能である、請求項１に記載のシステム。
【請求項１４】
前記システムが、前記バイノーラルオーディオデバイスを更に含み、前記バイノーラルオーディオデバイスが、ヘッドセットであり、前記モバイルデバイスが、モバイル多目的デバイスである、請求項１に記載のシステム。
【請求項１５】
前記システムが、前記バイノーラルオーディオデバイスを更に含み、
前記モバイルデバイスが、ヘッドマウントディスプレイデバイスであり、
前記バイノーラルオーディオデバイスが、ヘッドセット又は前記ヘッドマウントディスプレイデバイスに統合されたスピーカのうちの一つである、請求項１に記載のシステム。
【請求項１６】
１つ以上のプロセッサを備えるモバイルデバイスによって、
現在位置及び目標位置を判定することと、
前記現在位置から前記目標位置までの経路を判定することと、
前記経路に対する前記モバイルデバイスの前記現在位置に基づいて、バイノーラルオーディオデバイスの左右のオーディオ出力構成要素に送信される左右のオーディオチャネルの音量、周波数、又は残響のうちの１つ以上を調整して、前記バイノーラルオーディオデバイスを介して再生される音の指向性及び距離を制御することと、
を実行することを含む、
方法。
【請求項１７】
前記モバイルデバイスの前記現在位置を検出して追跡するように構成された前記モバイルデバイスの１つ以上の位置センサによって提供される位置データに基づいて、前記現在位置を判定することを更に含む、請求項１６に記載の方法。
【請求項１８】
地図情報に少なくとも部分的に基づいて、前記現在位置から前記目標位置までの前記経路を判定することを更に含む、請求項１６に記載の方法。
【請求項１９】
前記バイノーラルオーディオデバイスの動き及び向きを示すデータに少なくとも部分的に基づいて、前記バイノーラルオーディオデバイスの前記左右のオーディオ出力構成要素に送信される前記左右のオーディオチャネルの音量、周波数、又は残響のうちの１つ以上を調整することを更に含む、請求項１６に記載の方法。
【請求項２０】
オーディオヘッドセットであって、
左右のオーディオ出力構成要素と、
前記オーディオヘッドセットの動き及び向きを検出して追跡する１つ以上の動きセンサと、
を含む、
オーディオヘッドセットと、
モバイル多目的デバイスであって、
１つ以上のプロセッサと、
前記デバイスの位置を検出して追跡する１つ以上の位置センサと、
前記１つ以上のプロセッサによって実行可能なプログラム命令であって、
目標位置を判定し、
位置センサデータに少なくとも部分的に基づいて、前記モバイル多目的デバイスの位置を判定し、
地図情報に少なくとも部分的に基づいて、前記目標位置までの経路現在位置を判定し、
位置センサデータ及び動きセンサデータに少なくとも部分的に基づいて、有線又は無線接続を介してバイノーラルオーディオデバイスの前記左右のオーディオ出力構成要素に送信される左右のオーディオチャネルの音量、周波数、又は残響のうちの１つ以上を調整して、前記バイノーラルオーディオデバイスを介して再生される音の指向性及び距離を制御する、
プログラム命令を含むメモリと、
を含む、モバイル多目的デバイスと、
を備える、空間オーディオナビゲーションシステム。